(57)【要約】【課題】撮影時における被検体の負担を軽減するとともに被検体の安全を確保した上で、鮮明な画像を得ることができるＸ線画像診断装置を提供する。【解決手段】被検体に対してＸ線発生源３ａからＸ線を照射して被検体内部に関する情報を画像情報として得るＸ線画像診断装置１において、前面に被検体を乗せるとともに、その背面に被検体を透過したＸ線を検出するＸ線検出器３ｂを備える天板４ｂと、天板４ｂの長手方向一端部に被検体が足を乗せるフットレスト４ｃと、天板４ｂの長手方向他端部に被検体のあごを乗せるあごのせ４ｄとを備える。【選択図】図１
2010158453.tif 000002
【特許請求の範囲】
【請求項１】
被検体に対してＸ線発生源からＸ線を照射して前記被検体内部に関する情報を画像情報として得るＸ線画像診断装置において、
前面に前記被検体を乗せるとともに、その背面に前記被検体を透過した前記Ｘ線を検出するＸ線検出器を備える天板と、
前記天板の長手方向一端部に前記被検体が足を乗せるフットレストと、
前記天板の長手方向他端部に前記被検体のあごを乗せるあごのせと、
を備えることを特徴とするＸ線画像診断装置。
【請求項２】
前記フットレストは、前記天板の長手方向に移動可能とされていることを特徴とする請求項１に記載のＸ線画像診断装置。
【請求項３】
前記フットレストは、前記天板の前面に向けて円弧状となるように形成されていることを特徴とする請求項１または請求項２に記載のＸ線画像診断装置。
【請求項４】
前記天板の前記フットレスト近傍には、前記天板に乗る前記被検体を前記天板の短手方向に覆うことのできる保護カバーが備えられていることを特徴とする請求項１ないし請求項３のいずれかに記載のＸ線画像診断装置。
【請求項５】
前記保護カバーは、前記フットレストの円弧状になった側面に沿って引き出すことが可能とされていることを特徴とする請求項４に記載のＸ線画像診断装置。
【発明の詳細な説明】
【技術分野】
【０００１】
本発明は、天板に乗った、或いは天板と接した状態の被検体の内部情報を得ることのできるＸ線画像診断装置に関する。
【背景技術】
【０００２】
近年、被検体内部に関する情報を画像情報として取得し、表示手段上に表示させて観察することのできるＸ線画像診断装置が利用されるようになってきている。このＸ線画像診断装置の例として、Ｘ線テレビ装置を挙げることができる。
【０００３】
このＸ線テレビ装置は、これまでリアルタイムにＸ線透過画像を取得する手段としてイメージインテンシファイア（image intensifier）とＣＣＤカメラ等を組み合わせたものが使用されてきた。但し、この機構ではＸ線テレビ装置自体が大きくなってしまうため、最近では以下の特許文献１に開示されているような平面検出器（flat panel detector）と呼ばれる小型軽量な検出器を利用したＸ線テレビ装置が使用され始めている。
【０００４】
また、Ｘ線テレビ装置の利便性から、本来消化器系の臓器等の撮影に用いられるＸ線テレビ装置を使用して被検体の胸部を撮影するといった利用もされることがある。
【先行技術文献】
【特許文献】
【０００５】
【特許文献１】特開２００６−３４４５２号公報
【発明の概要】
【発明が解決しようとする課題】
【０００６】
しかしながら、上記特許文献１において開示されているＸ線テレビ装置を利用して被検体の胸部を撮影する場合には、以下のような不都合が生ずる。
【０００７】
すなわち、胸部の撮影を行う際には、より鮮明な画像を得るために、被検体の体を可能な限りＸ線検出器に密着させる必要がある。但し、人間を横から見た場合により明らかなように、胸の厚みは顔の鼻から後頭部までの厚みに比して薄い。そこで例えば、専用のＸ線胸部撮影装置を用いて撮影する場合、被検体が立って顔をＸ線検出器上部端部から外に出した状態で胸部をＸ線検出器に押し当てて密着させる。このとき、Ｘ線検出器上部端部から外に出した顔がのけぞる等による被検体の負担を軽減するために、Ｘ線検出器上部端部を一部窪ませてあごを乗せるあごのせを設けている。
【０００８】
一方、Ｘ線テレビ装置を使用する場合、被検体の胸部を撮影することはそのＸ線テレビ装置本来の機能ではないため、天板の端部にはあごを乗せるための窪み（あごのせ）は設けられていない。従って、Ｘ線テレビ装置を利用して被検体の胸部を撮影する場合には、被検体の胸部をＸ線検出器に密着させるために被検体が顔を横に９０度回転させている。この状態は被検体にとって決して楽ではなく苦痛を感ずることも多いと思われる。また、撮影に当たって体を固定することができないため、鮮明な画像を取得することも困難である。
【０００９】
さらに、被検体の胸部をＸ線検出器（天板）に密着させるために被検体の顔を天板の端部から出すような状態としＸ線テレビ装置の天板を立てた状態で撮影する場合には、被検体の身長に合わせてフットレストを上昇、下降させて被検体の体を固定させなければ体を固定することはおろか、被検体が天板から落下する危険性も生じうる。
【００１０】
本発明は上記課題を解決するためになされたものであり、本発明の目的は、撮影時における被検体の負担を軽減するとともに被検体の安全を確保した上で、鮮明な画像を得ることができるＸ線画像診断装置を提供することにある。
【課題を解決するための手段】
【００１１】
請求項１に記載の発明の特徴は、被検体に対してＸ線発生源からＸ線を照射して被検体内部に関する情報を画像情報として得るＸ線画像診断装置において、前面に被検体を乗せるとともに、その背面に被検体を透過したＸ線を検出するＸ線検出器を備える天板と、天板の長手方向一端部に被検体が足を乗せるフットレストと、天板の長手方向他端部に被検体のあごを乗せるあごのせとを備える。
【発明の効果】
【００１２】
本発明によれば、撮影時における被検体の負担を軽減するとともに被検体の安全を確保した上で、鮮明な画像を得ることができるＸ線画像診断装置を提供することができる。
【図面の簡単な説明】
【００１３】
【図１】本発明の実施の形態におけるＸ線画像診断装置の全体構成を示す斜視図である。
【図２】本発明の実施の形態におけるＸ線画像診断装置の内部構成を示すブロック図である。
【図３】Ｘ線画像診断装置に設けられる保護カバーの例を示す斜視図である。
【発明を実施するための形態】
【００１４】
以下、本発明の実施の形態について図面を参照して詳細に説明する。
【００１５】
図１は、本発明の実施の形態におけるＸ線画像診断装置１の全体構成を示す斜視図である。Ｘ線画像診断装置１は、寝台ベース２と、この寝台ベース２に連結される寝台支柱３と、寝台支柱３の一端に連結される寝台４とから構成される。
【００１６】
寝台ベース２には寝台支柱３を介して寝台４が連結されているので、寝台ベース２が寝台支柱３を昇降させることに合わせて寝台４も昇降する。また、寝台支柱３はまた、寝台ベース２に回転可能に連結されているため、検査の態様に合わせて図１に示すように寝台４を略垂直に立てた位置（以下、この位置を便宜上「立位」という）や、或いは、寝台４を床と水平となるように寝かせた位置へと回転させることができる。
【００１７】
寝台支柱３の他端にはＸ線発生源３ａが設けられており、このＸ線発生源３ａから被検体に向けて照射されたＸ線は、本発明の実施の形態では例えば、寝台４の内部に設けられるＸ線検出器３ｂ（図１においては図示せず）にて検出される。また、寝台支柱３の一端には、Ｘ線検出器３ｂが検出した被検体内部に関する情報を画像情報として得るためのカメラ３ｃが設けられている。
【００１８】
寝台４は、筐体４ａと、被検体が撮影時に直に接することになる天板４ｂと、から構成されている。すなわち、天板４ｂの前面に被検体が乗り、この被検体が受けたＸ線発生源３ａから照射されたＸ線を天板４ｂの背面に設けられたＸ線検出器３ｂで検出する。
【００１９】
天板４ｂの長手方向一端部には、寝台４が立位となった場合に被検体が足を乗せるフットレスト４ｃが設けられている。一方、天板４ｂの長手方向他端部には、被検体があごを乗せることができるあごのせ４ｄが形成されている。天板４ｂの長手方向略中間部には、被検体が握ることのできる手摺４ｅが天板４ｂの短手方向両端に設けられている。
【００２０】
フットレスト４ｃは、天板４ｂの前面、すなわちＸ線発生源３ａ側に向けて円弧状となるように取り付けられ、その形状は略半円形状とされている。また、このフットレスト４ｃは、天板４ｂの長手方向に移動可能とされており、天板４ｂが立位の位置にある場合に、被検体をその上に乗せたまま上昇、或いは下降させることができる。なお、本発明の実施の形態においては、その形状を上述したように略半円形状に形成されたフットレスト４ｃを例に挙げて説明をしているが、フットレスト４ｃの形状としては、例えば、長方形の長辺の両端を切り落とした、略台形形状としてもよい。
【００２１】
あごのせ４ｄは、図１に示すようにＸ線画像診断装置１を立位とし、被検体の胸部をＸ線撮影する際に被検体があごを乗せるために使用される。このあごのせ４ｄに被検体が自身のあごを乗せることによって、例えば胸部の撮影を行う際に鼻の頭から後頭部までの長さによって被検体の胸部が天板４ｂと接する際に被検体の胸部が天板４ｂから浮き上がることを防止することができる。このあごのせ４ｄによって、被検体の顔を回転させることを強いることはなく、被検体に負担を掛けずその胸部を天板４ｂに押しつけることが可能であるため、被検体の胸部の撮影を行っても鮮明な画像を得ることができる。
【００２２】
あごのせ４ｄが設けられる場所は、寝台４（天板４ｂ）の長手方向一端部であり、短辺方向には略中央部である。この位置に設けたのは、天板４ｂに被検体がうつぶせになった状態（被検体の胸部が天板４ｂと接した状態）で被検体が一番自然な姿勢を取った際に、概ねあごがある位置だからである。
【００２３】
また、あごのせ４ｄの形状は、寝台４（天板４ｂ）の長手方向他端部に向けてゆるやかに円弧状となるような窪み（凹状）に形成されている。あごのせ４ｄの形状を示す具体的な数値はここでは挙げないが、様々なあごの形を持つ複数の被検体があごのせ４ｄにあごを乗せて、被検体の胸部が天板４ｂと接した際に被検体の胸部が天板４ｂから浮き上がらないような形状に形成されている。なお、このような効果を得ることができるのであれば、あごのせ４ｄの形状は上述したような形状でなくても構わない。
【００２４】
次に、Ｘ線画像診断装置１の構成及び機能について説明を行う。図２は、本発明の実施の形態におけるＸ線画像診断装置１の内部構成を示すブロック図である。Ｘ線画像診断装置としては様々な装置があるが、本発明の実施の形態においては、Ｘ線画像診断装置１としてＸ線テレビ装置を例に挙げて以下説明を行う。
【００２５】
Ｘ線画像診断装置１は、ＣＰＵ（Central Processing Unit）１ａと、ＲＯＭ(Read Only Memory)１ｂと、ＲＡＭ（Random Access Memory）１ｃ及び入出力インターフェイス１ｄがバス１ｅを介して接続されている。入出力インターフェイス１ｄには、入力手段１ｆと、表示手段１ｇと、通信制御手段１ｈと、記憶手段１ｉと、リムーバブルディスク１ｊと、駆動部制御手段１ｋとが接続されている。この駆動部制御手段１ｋは、例えば、Ｘ線発生源（Ｘ線管）３ａ、Ｘ線を受光するＸ線検出器３ｂ、寝台４、フットレスト４ｃ等の駆動部が含まれ、駆動部制御手段１ｋによってその働き、動きが制御される。
【００２６】
ＣＰＵ１ａは、入力手段１ｆからの入力信号に基づいてＲＯＭ１ｂからＸ線画像診断装置１を起動するためのブートプログラムを読み出して実行し、記憶手段１ｉに格納されている各種オペレーティングシステムを読み出す。またＣＰＵ１ａは、入力手段１ｆや入出力インターフェイス１ｄを介して、図１において図示していないその他の外部機器からの入力信号に基づいて各種装置の制御を行う。さらにＣＰＵ１ａは、ＲＡＭ１ｃや記憶手段１ｉ等に記憶されたプログラム及びデータを読み出してＲＡＭ１ｃにロードするとともに、ＲＡＭ１ｃから読み出されたプログラムのコマンドに基づいて、データの計算、加工等、一連の処理を実現する処理装置である。
【００２７】
入力手段１ｆは、Ｘ線画像診断装置１の操作者（例えば、医師や検査技師）が各種の操作を入力するキーボード、ダイヤル等の入力デバイスにより構成されており、操作者の操作に基づいて入力信号を作成しバス１ｅを介してＣＰＵ１ａに送信される。なお、入力手段１ｆには、Ｘ線画像診断装置１に直接設けられる入力手段の他、Ｘ線画像診断装置１本体が設置される検査室とは別室に設けられる、例えば遠隔操作卓といったものも含まれる。遠隔操作卓といった入力手段の場合、例えば、キーボード等だけでなく専用の操作パネルが設けられており、その操作パネル上の入力デバイスを介して操作画面に対する操作を行うこともできる。
【００２８】
表示手段１ｇは、例えば液晶ディスプレイである。この表示手段１ｇは、ＣＰＵ１ａからバス１ｅを介して出力信号を受信し、例えば撮影の際や画像処理を行う際の諸条件の設定を行うにあたって必要な画像等、或いはＣＰＵ１ａの処理結果等を表示する。この表示手段１ｇには、入力手段１ｆと同様、上述した例えば遠隔操作卓に設けられた表示手段も含まれる。
【００２９】
通信制御手段１ｈは、ＬＡＮカードやモデム等の手段であり、Ｘ線画像診断装置１をインターネットやＬＡＮ等の通信ネットワークに接続することを可能とする手段である。通信制御手段１ｈを介して通信ネットワークと送受信したデータは入力信号または出力信号として、入出力インターフェイス１ｄ及びバス１ｅを介してＣＰＵ１ａに送受信される。
【００３０】
記憶手段１ｉは、半導体や磁気ディスクで構成されており、ＣＰＵ１ａで実行されるプログラムやデータが記憶されている。
【００３１】
リムーバブルディスク１ｊは、光ディスクやフレキシブルディスクのことであり、ディスクドライブによって読み書きされた信号は、入出力インターフェイス１ｄ及びバス１ｅを介してＣＰＵ１ａに送受信される。
【００３２】
Ｘ線画像診断装置１は、上述した構成を採用する。そのため、操作者が入力手段１ｆを操作して出した上下動を行う旨の指示に基づいて、駆動部制御手段１ｋがフットレスト４ｃを上下動させる。例えば、フットレスト４ｃが上下動される状態を説明するならば以下の通りである。フットレスト４ｃは、例えば、寝台４の長手方向に亘ってレールが設けられ（図１では図示せず）、モータ等の駆動力によりそのレール上を移動する。但し、フットレスト４ｃを昇降させる機構については、フットレスト４ｃが寝台４の長手方向に亘って移動することが可能であればどのような機構を用いても良い。
【００３３】
すなわち、被検体の胸部撮影を行う際には、Ｘ線画像診断装置１を図１に示す立位の状態にする。これは寝台４は寝台支柱３に連結されているため、操作者による入力手段１ｆからの指示に基づいて駆動部制御手段１ｋが寝台支柱３を回転させることによって行われる。Ｘ線画像診断装置１の寝台４がこのような位置に固定されたところで、被検体がフットレスト４ｃ上に乗る。このとき被検体の乗降の便宜を考えて、フットレスト４ｃは、寝台４（天板４ｂ）の長手方向一端部に位置する。
【００３４】
なお、この際には被験者は天板４ｂの前面と向き合うように（被験者の背中がＸ線発生源３ａと対向するように）フットレスト４ｃ上に乗ることになる。
【００３５】
フットレスト４ｃに被検体が乗ると、被検体の身長に合わせた位置までフットレスト４ｃが上昇する。ここで身長に合わせた位置、とは、被検体があごのせ４ｄに自身のあごを乗せて天板４ｂに胸部を密着させることができる位置を指す。また、撮影が終了すると、今度はフットレスト４ｃが下降し、被検体をフットレスト４ｃから降ろすために寝台４（天板４ｂ）の長手方向一端部の位置（最も低い位置）で停止する。
【００３６】
また、上述したようにフットレスト４ｃは昇降するが、フットレスト４ｃの昇降の際の被検体の安全をより確保するために、例えば図３に示すような保護カバー５をフットレスト４ｃの周囲に引き回すことも可能である。すなわち、被検体がフットレスト４ｃ上に乗った状態でこのフットレスト４ｃが昇降すると被験者の身長によっては被検体が怖いと感ずる高さまで移動する。その際の被検体の恐怖を可能な限り低減するために保護カバー５が設けられる。
【００３７】
保護カバー５は、カバー収納部５ａから引き出されて係止部５ｂにおいて止められる。本発明の実施の形態においては、保護カバー５は、カバー収納部５ａ内に巻き取られて収納されている。また、係止部５ｂは、カバー収納部５ａから引き出された保護カバー５がカバー収納部５ａ内に引き戻されないように保護カバー５を止める。保護カバー５を係止部５ｂに止める方法は、例えば、フックを使用したり磁石を用いたり、どのような方法であっても良い。
【００３８】
保護カバー５は、例えば、本発明の実施の形態においては、カバー収納部５ａ内に巻き取られて収納されることから、例えば布や紐を編んだもの等が好適に使用される。また、保護カバー５の形状は、カバー収納部５ａから引き出された際にその保護カバー５上に貫通部がない布状や、いわゆるネット状に編まれたものであっても良い。保護カバー５の大きさ（高さ）は、任意に設定することができる。
【００３９】
また、例えば、本発明の実施の形態においては、保護カバー５はカバー収納部５ａ内に巻き取られて収納されることとしたが、保護カバー５を巻き取る方法でなくとも、通常は収納されており必要な際に自由に引き出すことのできる方法であれば、保護カバー５をどのように収納することとしても良い。
【００４０】
さらに、本発明の実施の形態における保護カバー５は、フットレスト４ｃの淵（側面）に沿って引き出される。このようにフットレスト４ｃの側面を沿うように保護カバー５を引き出すこととすることで、上述した素材で形成される保護カバー５がたわんだり垂れ下がったりすることを防ぐことができる。保護カバー５をフットレスト４ｃの側面に沿わせる方法は、例えば、フットレスト４ｃの側面に設けられたレール内を保護カバー５の下端部に設けられた凸部が移動するといった方法を採用することができる。
【００４１】
以上のような構成を採用することによって、撮影時における被検体の負担を軽減するとともに被検体の安全を確保した上で、鮮明な画像を得ることができるＸ線画像診断装置を提供することができる。
【００４２】
この発明は、上記実施の形態そのままに限定されるものではなく、実施段階ではその要旨を逸脱しない範囲で構成要素を変形して具体化できる。また、上記実施の形態に開示されている複数の構成要素を適宜組み合わせることにより種々の発明を形成できる。例えば、実施の形態に示される全構成要素から幾つかの構成要素を削除してもよい。更に、異なる実施の形態に亘る構成要素を適宜組み合わせてもよい。
【符号の説明】
【００４３】
１    Ｘ線画像診断装置
２    寝台ベース
３    寝台支柱
３ａ  Ｘ線発生源
３ｂ  Ｘ線検出器
４    寝台
４ａ  筐体
４ｂ  天板
４ｃ  フットレスト
４ｄ  あごのせ
５    保護カバー
５ａ  カバー収納部
５ｂ  係止部
【図１】
2010158453.tif 000003
【図２】
2010158453.tif 000004
【図３】
2010158453.tif 000005